(57)【要約】【目的】  本発明は、携帯電話機等の精密機器に使用される基板シートを任意の形状に切断する場合に、大がかりな機械を使用しなくても容易にしかも正確に基板シートを切断するため、ロールカッターを使用することで構造を簡易化したシート切断装置を提供することを目的とするものである。【構成】  本発明は、ケーシングの上部にはロールカッターを設けた切断部を設けるとともに目盛りを有する押さえ部を、前記ケーシングの下部には出し入れ可能な基板載置台を有するスライド部を、前記ケーシングの側面には駆動源であるエアーコンプレッサーを設け    シートを任意の大きさに切断することができることを特徴とするシート切断装置の構成とした。【選択図】  図１
2005040909.tif 000002
【特許請求の範囲】
【請求項１】
ケーシングの上部にはロールカッターを設けた切断部を設けるとともに目盛りを有する押さえ部を、前記ケーシングの下部には出し入れ可能な基板載置台を有するスライド部を、前記ケーシングの側面には駆動源であるエアーコンプレッサーを設け    シートを任意の大きさに切断することができることを特徴とするシート切断装置。
【請求項２】
ケーシングを透明としたことを特徴とする請求項１記載のシート切断装置。
【請求項３】
駆動源を電気モータとしたことを特徴とする請求項１記載のシート切断装置。
【発明の詳細な説明】
【技術分野】
【０００１】
本発明は、携帯電話機に使用される基板シートやその他の精密機器に使用される基板シート、或いは布等を任意の大きさに切断するためのシート切断装置の開発に関する発明である。
【背景技術】
【０００２】
従来、携帯電話機やその他の精密機器に使用される基板シートを任意の大きさに切断する際には５ｔプレス機を使用して型抜きする方法を用いて切断している。
【０００３】
しかしながら、単に基板を切断するためにプレス機を使用することは非常に手間が掛かる上に必要以上のコストも掛かるため、全体的に無駄の多い作業となっている。
【発明の開示】
【発明が解決しようとする課題】
【０００４】
本発明は、携帯電話機等の精密機器に使用される基板シートを任意の形状に切断する場合に、大がかりな機械を使用しなくても容易にしかも正確に基板シートを切断するため、ロールカッターを使用することで構造を簡易化したシート切断装置を提供することを目的とするものである。
【課題を解決するための手段】
【０００５】
本発明は、上記の課題を解決するために、ケーシングの上部にはロールカッターを設けた切断部を設けるとともに目盛りを有する押さえ部を、前記ケーシングの下部には出し入れ可能な基板載置台を有するスライド部を、前記ケーシングの側面には駆動源であるエアーコンプレッサーを設け    シートを任意の大きさに切断することができることを特徴とするシート切断装置の構成とした。
【発明の効果】
【０００６】
本発明のシート切断装置は、小型であるために場所を選ばずに何処でも使用することができ、ロールカッターを使用した装置であるため基板シートの切断が容易にでき、従来に比べコストも大幅に削減することが可能である。
【実施例１】
【０００７】
以下に、添付図面に基づき、本発明であるシート切断装置を詳細に説明する。
図１は本発明であるシート切断装置の第１実施例の正面図、図２は本発明であるシート切断装置の第１実施例の右側面図、図３は本発明であるシート切断装置の第１実施例の平面図、図３は本発明であるシート切断装置の第１実施例の背面図である。
【０００８】
本発明であるシート切断装置１は、内部が観察できるよう透明なプラスチック板により形成されたケーシング２に周囲を囲まれた装置である。ケーシング２は、透明なプラスチック板により形成された上板２ａ、正面板２ｂ、左右側面板２ｆ、２ｇが連結組み立てられている。ケーシング２の後方には、制御ボックス１６が取り付けられていて、直方体の箱形の形状を形成する。勿論、ケーシング２は、透明ではなくても良い。なお、符号１６ａは、制御ボックス支持脚を示している。
【０００９】
正面板２ｂの下部中央には、略長方形状の開口部２ｃが形成されている。開口部２ｃは、引き出し式の基板を載置する台であるスライド部１０をシート切断装置１内から引き出すために設けられた開口部である。また、ケーシング２の底面を構成する底板２ｄの下部には四隅に支持脚２ｅ、２ｅ、２ｅ、２ｅが設けられている。
【００１０】
底板２ｄには、本発明であるシート切断装置１の第２実施例を構成する第１、第２押さえ部１ａ、１ｂを支持するための支柱７、７、７、７が支柱支持部材７ａによって取り付けられている。
【００１１】
支柱７、７、７、７の上部には縦支持部材３ｂ、４ｂ、１４ｂ、１７ｂが、縦支持部材３ｂ、４ｂ、１４ｂ、１７ｂ内に支柱７を挿通するようにして取り付けられ、第１、第２押さえ部１ａ、１ｂを構成する各部材が連結されている。
【００１２】
図１及び図２に示すように、支柱７、７、７、７に取り付けられた縦支持部材３ｂ、１４ｂは、縦支持部材３ｂ、１４ｂを両端とした左右動軸３ｃを支持しており、同様に縦支持部材４ｂ、１７ｂは縦支持部材４ｂ、１７ｂを両端とした左右動軸４ｃを支持している。  
【００１３】
図２に示すように、縦支持部材３ｂ、１４ｂに支持された左右動軸３ｃには、左右動軸３ｃを内部に挿通するようにして第１押さえ部１ａ、第２押さえ部１ｂを構成する左右動シリンダ３ａ、１４ａが取り付けられている。
【００１４】
第１押さえ部１ａの右側を構成する左右動シリンダ３ａの上部には左右シリンダ連動部材３ｇが設けられ、左右シリンダ連動部材３ｇによって、シート切断装置１の右側に設けられた左右動シリンダ３ａとシート切断装置１の左側に設けられた左右動シリンダ４ａとが連動するに連結されている。
【００１５】
更に、左右シリンダ連動部材３ｇには上下動シリンダ３ｄを貫通して設けられたシリンダ連結バー３ｅによって、上下動シリンダ３ｄが連結され、シリンダ連結バー３ｅの下部は切断部ガイド８に連結されている。上下動シリンダ３ｄを貫通して設けられたシリンダ連結バー３ｅの上部は、ケーシング２の上板２ａからやや突出し、目盛り３ｆを構成している。
【００１６】
以上の上下動シリンダ３ｄ等と連結した左右動シリンダ３ａの上部には、ケーシング２の上板２ａから突出した係止ねじ３が取り付けられており、係止ねじ３で第１押さえ部１ａを操作するものである。
【００１７】
シリンダ連結バー３ｅによって上下動シリンダ３ｄと連結された切断部ガイド８には、切断部５が設けられている。切断部ガイド８は、左右の左右動シリンダ３ａ、４ａを連動させる左右シリンダ連動部材３と並行に設けられ、その両端には切断部連結バー８ａ、８ｂが設けられ、切断部連結バー８ａ、８ｂの下端には切断刃ガイド８ｃが設けられている。  
【００１８】
切断部連結バー８ａ、８ｂの上部にはカットドレスシリンダ５ａを貫通するようにして取り付けた切断部スクロールバー５ｄが取り付けられている。カットドレスシリンダ５ａの下部には棒状の支持部材５ｂが設けられ、支持部材５ｂの先端にはロールカッター５ｃが設けられ、切断部５を構成している。なお、符号５ｅは、切断部カバーを示している。  
【００１９】
第１押さえ部１ａの左側も同様の構成で、支柱７に取り付けられた支持部材５ｂ、２７ｂを両端として支持された左右動軸４ｃには、第１押さえ部１ａを構成する左右動シリンダ４ａと第２押さえ部１ｂを構成する左右動シリンダ１７ａが取り付けられている。
【００２０】
第１押さえ部１ａの左側を構成し、左右シリンダ連動部材３ｇによって左右動シリンダ３ａと連動するように左右動シリンダ４ａが連結されている。また、左右シリンダ連動部材３ｇには、上下動シリンダ４ｄを貫通して設けられたシリンダ連結バー４ｅによって上下動シリンダ４ｄが連結されている。
【００２１】
シリンダ連結バー４ｅの下端は切断部ガイド８に連結されている。上下動シリンダ４ｄを貫通して設けられたシリンダ連結バー４ｅの上部は、ケーシング２の上板２ａからやや突出し、目盛り４ｆを構成している。
【００２２】
また、左右動シリンダ３ａと同様に、第１押さえ部１ａの左側を構成する左右動シリンダ４ａの上部にも、ケーシング２の上板２ａから突出した係止ねじ４が取り付けられており、係止ねじ３同様に、第１押さえ部１ａを操作する。
【００２３】
切断部ガイド８と切断部連結バー８ａ、８ｂと連結された切断刃ガイド８ｃの下部には、被切断物である基板シート２０を載置するためのスライド部１０が設けられている。スライド部１０は、基板を載置するための基板載置台１０ａと、基板載置台１０ａの下部左右両端に設けられた可動部１０ｂ、１０ｄ及び可動部１０ｂ、１０ｄに内包された噛合部１０ｃ、１０ｅにより構成されている。
【００２４】
スライド部１０の可動部１０ｂ、１０ｄの内側に当たる位置の底板２ｄには、保持部材１１、１２が設けられ、保持部材１１、１２は、スライド部１０の可動部１０ｂ、１０ｄに内包された噛合部１０ｃ、１０ｅと噛み合い、スライド部１０を保持するための噛合部１１ａ、１２ａが設けられている。
【００２５】
スライド部１０は、基板載置台１０ａに連結されたスライド部ガイド１３ｂとドレスシリンダ１３、１３ａにより動きを制御されている。
【００２６】
本発明であるシート切断装置１の右側面、即ち制御ボックス１６の右側面には、エアーコンプレッサー２１が取り付けられている。本発明であるシート切断装置１は、エアーコンプレッサー２１から送られる空気圧を駆動源としている。
【００２７】
前記エアーコンプレッサー２１は、本体２１ａ左右側面から突出したバルブ２１ｂ、２１ｃにパイプを接続して用いる。正面には円形の表示板が取り付けられているため、エアーコンプレッサー２１から送られる空気圧の確認、調節が簡単にできる。なお、符号２１ｄは、表示板を示している。
【００２８】
図２に示すように、切断部５のロールカッター５ｃの刃先の部分は、切断刃ガイド８ｃより突出しているため、切断刃ガイド８ｃから突出した刃先が被切断物である基板シート２０を切断することができる。
【００２９】
図３に示すように、ケーシング２の上板２ａには前後に渡るよう４本の溝が設けられている。前記４本の溝のうち、左右両端の溝は左右動シリンダ３ａ、４ａ、１４ａ、１７ａを左右に動かす為のガイド溝１８、１８ａであり、内側の２本の溝は上下動シリンダ３ｄ、４ｄ、１４ｄ、１７ｄに連結されている目盛り３ｆ、４ｆ、１４ｆ、１７ｆが突出した目盛りガイド溝１９、１９ａである。なお、符号１４ｇは、左右シリンダ連動部材を示している。
【００３０】
目盛りガイド溝１９、１９ａの横にはスケール９、９ａが取り付けられている。目盛りガイド溝１９、１９ａから突出した目盛り３ｆ、４ｆ、１４ｆ、１７ｆをスケール９、９ａの任意の幅に合わせることで、簡単に被切断物である基板シート２０を任意の大きさに切断することが可能である。
【００３１】
図３に示すように、底板２ｄの右端やや後方には安全装置２２が設けられている。安全装置２２は、ケーシング２が外されていないかを感知するためのセンサーである。危険防止のため、ケーシング２が外れていることを安全装置２２が感知すると、切断部５をはじめとする各部が駆動しない。
【００３２】
図５は本発明であるシート切断装置のスライド部を引き出した状態を示す右側面図、図６はスライド部を引き出した状態を示す平面図である。スライド部１０は、正面板２ｂの下部に設けられた開口部２ｃから出し入れされる。
【００３３】
スライド部１０のスライドの動きはドレスシリンダ１３、１３ａにより制御され、基板載置台１０ａ下部の可動部１０ｂ、１０ｄに内包された噛合部１０ｃ、１０ｅと噛み合った噛合部１１ａ、１２ａを内包した保持部材１１、１２を軸としてスライドレール１０ｈにより前方向にスライドする。スライド部１０は、基板載置台１０ａと連接したスライド部ガイド１３ｂにより、前方向に突出しすぎることも後ろ方向に突出することもない。なお、符号１０ｉ及び１０ｊはガイドを示している。
【００３４】
図６に示すように、スライド部１０の基板載置台１０ａの右端にはスケール１０ｆが取り付けられている。スケール１０ｆと、ケーシング２の上板２ａに取り付けられたスケール９、９ａの目盛りは合致しており、被切断物である基板シート２０を基板載置台１０ａに載置する際に、スケール１０ｆの目盛りに合わせて載置することで、上板２ａに取り付けられたスケール９、９ａにより目盛り３ｆ、４ｆ、１４ｆ、１７ｆを合わせれば、的確に任意の大きさに切断することが可能である。
【００３５】
また、図８に示すように、基板載置台１０ａにはカッターマット１０ｇが取り付けられており、カッターマット１０ｇの上に基板シート２０を載置するので、ロールカッター５ｃにより、基板載置台１０ａに傷が付くことを防げる。カッターマット１０ｇは取り外しが可能であるために、シート切断装置１を繰り返し使用しカッターマット１０ｇの損傷が激しくなった場合には、取り替えることができる。
【００３６】
図７は、本発明であるシート切断装置の基板シートを押さえている状態を示す右側面図である。第１押さえ部１ａ及び第２押さえ部１ｂは、係止ねじ３、４、１４、１７を回すと切断部ガイド８、１５が下がり、シートを押さえて切断する。
【００３７】
図７に示した状態は、第２押さえ部１ｂの構成部材である係止ねじ１４を回して切断部ガイド１５を下げた状態であり、切断部ガイド１５が下に下がることで、切断部ガイド１５と連結している切断部連結バー１５ｂ、切断刃ガイド１５ｃ、切断部６が下がり、切断刃ガイド１５ｃが基板シート２０に密着するため、切断刃ガイド１５ｃの先端から突出したロールカッター６ｃの刃先が基板シート２０を切断する。なお、符号６ａはカットドレスシリンダ、符号６ｂは支持部材、符号１５ａは切断部連結バーを示している。
【００３８】
図９は、本発明であるシート切断装置の操作ボックスの斜視図である。本発明であるシート切断装置１の操作には、シート切断装置１の制御ボックス１６に接続コード２３ｆによって接続された操作ボックス２３を用いる。
【００３９】
図９に示すように、操作ボックス２３は、箱形のケース２３ａで、上面にスタートスイッチ２３ｂ及び非常スイッチ２３ｃが設けられ、前面には切替スイッチ２３ｄ及び電源スイッチ２３ｅが設けられている。
【００４０】
切替スイッチ２３ｄとは、第１押さえ部１ａの切断部５と第２押さえ部１ｂの切断部６の両方を用いて基板シート２０を３分割にするか、いずれか片方を用いて基板シート２０を２分割にするかの切替をするためのスイッチである。
【実施例２】
【００４１】
図１０から図１２は本発明であるシート切断装置の第２実施例を示す図である。図１０は本発明であるシート切断装置の第２実施例の正面図、図１１は本発明であるシート切断装置の第２実施例の右側面図、図１２は本発明であるシート切断装置の第２実施例の平面図である。
【００４２】
図１０から図１２に示すように、本第２実施例のシート切断装置２４の第１実施例のシート切断装置１との相違点は、駆動源をエアーではなく電気で駆動する電気モータとしたために、エアーコンプレッサーが取り付けられていない点と、押さえ部を１個所のみにした点とシート自動送り機能を備えたことである。
【００４３】
即ち、シート切断装置２４は、支柱７、７、７、７の上部には縦支持部材２５ｂ、２５ｇ、２６ｂ、２６ｇが取り付けられており、縦支持部材２５ｂ、２５ｇには、縦支持部材２５ｂ、２５ｇを両端とした左右動軸２５ｃが取り付けられ、縦支持部材２６ｂ、２６ｇには、縦支持部材２６ｂ、２６ｇを両端とした左右動軸２６ｃが取り付けられている。なお、符号２５は係止ネジ、符号２５ｆ、符号２６は係止ネジは目盛りを示している。
【００４４】
押さえ部２４ａの右側を構成する左右動軸２６ｃには、左右動シリンダ２６ａが取り付けられている。左右動シリンダ２６ａの上部には左右シリンダ連動部材２５ｈが設けてある。
【００４５】
前記左右シリンダ連動部材２５ｈには、上下動シリンダ２６ｄを貫通するようにして設けられたシリンダ連結バー２６ｅにより上下動シリンダ２６ｄが連結されている。
【００４６】
シリンダ連結バー２６ｅの下端は切断部ガイド２８に連設されており、シリンダ連結バー２６ｅの上端はケーシング２の上板２ａからやや突出して目盛り２６ｆを構成している。
【００４７】
シリンダ連結バー２６ｅにより連設された切断部ガイド２８には切断部２７が連設され、切断部２７はカットドレスシリンダ２７ａ、カットドレスシリンダ２７ａの下部に設けられた支持部材２７ｂ、支持部材先端に取り付けられたロールカッター２７ｃからなる。なお、符号２７ｄは切断部スクロールバー、符号２７ｅは切断部カバーを示している。
【００４８】
切断部ガイド２８の両端には切断部連結バー２８ａ、２８ｂが連結され、更に切断部連結バー２８ａ、２８ｂによって切断刃ガイド２８ｃが連結されており、切断刃ガイド２８ｃからはロールカッター２７ｃの刃先がやや突出する。
【００４９】
また、押さえ部２４ａの左側を構成する左右動シリンダ２５ａも同様にして左右シリンダ連動部材２５ｈを介して上下動シリンダ２５ｄが連結され、シリンダ連結バー２５ｅにより切断部ガイド２８に接続されている。
【００５０】
また切断刃ガイド２８ｃの下部に設けられているスライド部２９は、基板載置台２９ａと基板載置台２９ａの下部両端に設けられた可動軸２９ｂ、２９ｃから構成され、可動軸２９ｂ、２９ｃにより前方向へのスライドが可能である。なお、符号２９ｄは、スケールを示している。
【００５１】
本第２実施例のシート切断装置２４では、基板載置台２９ａに、シート自動送り機能を備えたため、押さえ部２４ａ及び切断部２７が１個所のみとなっている。即ち、シート自動送り機能により、任意の大きさに切断した基板シート３０が送られるため、任意の大きさを連続して何度も切断することを可能としたため、押さえ部及び切断部が１個所で構わない。
【００５２】
また、図１０から図１２に示すように、本第２実施例のシート切断装置２４は、駆動源をエアーではなく電気としているため、エアーコンプレッサーは取り付けられていない。
【実施例３】
【００５３】
図１３は、本発明であるシート切断装置の第３実施例に使用する切断部を示す図である。本題３実施例に使用する切断部３１は、刃保持部材３１ｂの上部である支持部材３１ａにスプリング３２を取り付け、刃３１ｄを挟むようにして両脇に調節ローラ３３，３３ａを取り付けた。なお、符号３１ｃは、軸を示している。
【００５４】
スプリング３２がクッション材となり、また調節ローラら３３、３３ａの大きさを変えることで、基板シートの切断時に、シートを完全に切断せず、半分の厚さなど、着る厚みを調節して切断することが可能となった。
【００５５】
第１実施例、第２実施例及び第３実施例として説明した本発明であるシート切断装置１、２４では、被切断物を基板シートとしているが、本発明であるシート切断装置１、２４は、は布シート、ビニールシート等を切断することも可能である。
【図面の簡単な説明】
【００５６】
【図１】本発明であるシート切断装置の第１実施例の正面図である。
【図２】本発明であるシート切断装置の第１実施例の右側面図である。
【図３】本発明であるシート切断装置の第１実施例の平面図である。
【図４】本発明であるシート切断装置の第１実施例の背面図である。
【図５】本発明であるシート切断装置の第１実施例の基板載置部を引き出した状態を示す右側面図である。
【図６】本発明であるシート切断装置の第１実施例の基板載置部を引き出した状態を示す平面図である。
【図７】本発明であるシート切断装置の第１実施例のシートを押さえている状態を示す右側面図である。
【図８】本発明であるシート切断装置の第１実施例の基板載置部を引き出し基板を外した状態を示す平面図である。
【図９】本発明であるシート切断装置の第１実施例の操作ボックスの斜視図である。
【図１０】本発明であるシート切断装置の第２実施例の正面図である。
【図１１】本発明であるシート切断装置の第２実施例の右側面図である。
【図１２】本発明であるシート切断装置の第２実施例の平面図である。
【図１３】本発明であるシート切断装置の第３実施例に使用する切断部を示す図である。
【符号の説明】
【００５７】
１            シート切断装置
１ａ          第１押さえ部
１ｂ          第２押さえ部
２            ケーシング
２ａ          上板
２ｂ          正面板
２ｃ          開口部
２ｄ          底板
２ｅ          支持脚
２ｆ          右側面板
２ｇ          左側面板
３            係止ねじ
３ａ          左右動シリンダ
３ｂ          縦支持部材
３ｃ          左右動軸
３ｄ          上下動シリンダ
３ｅ          シリンダ連結バー
３ｆ          目盛り
３ｇ          左右シリンダ連動部材
４            係止ねじ
４ａ          左右動シリンダ
４ｂ          縦支持部材
４ｃ          左右動軸
４ｄ          上下動シリンダ
４ｅ          シリンダ連結バー
４ｆ          目盛り
５            切断部
５ａ          カットドレスシリンダ
５ｂ          支持部材
５ｃ          ロールカッター
５ｄ          切断部スクロールバー
５ｅ          切断部カバー
６            切断部
６ａ          カットドレスシリンダ
６ｂ          支持部材
６ｃ          ロールカッター
７            支柱
７ａ          支柱支持部材
８            切断部ガイド
８ａ、８ｂ    切断部連結バー
８ｃ          切断刃ガイド
９、９ａ      スケール
１０            スライド部
１０ａ          基板載置台
１０ｂ、１０ｄ  可動部
１０ｃ、１０ｅ  噛合部
１０ｆ          スケール
１０ｇ          カッターマット
１０ｈ          スライドレール
１０ｉ、１０ｊ  ガイド
１１、１２      保持部材
１１ａ、１２ａ  噛合部
１３、１３ａ    ドレスシリンダ
１３ｂ          スライド部ガイド
１４            係止ねじ
１４ａ          左右動シリンダ
１４ｂ          縦支持部材
１４ｆ          目盛り
１４ｇ          左右シリンダ連動部材
１５            切断部ガイド
１５ａ、１５ｂ  切断部連結バー
１５ｃ          切断刃ガイド
１６            制御ボックス
１６ａ          制御ボックス支持脚
１７            係止ねじ
１７ａ          左右動シリンダ
１７ｂ          縦支持部材
１７ｄ          上下動シリンダ
１７ｆ          目盛り
１８、１８ａ    ガイド溝
１９、１９ａ    目盛りガイド溝
２０            基板シート
２１            エアーコンプレッサー
２１ａ          本体
２１ｂ、２１ｃ  バルブ
２１ｄ          表示板
２２            安全装置
２３            操作ボックス
２３ａ          ケース
２３ｂ          スタートスイッチ
２３ｃ          非常スイッチ
２３ｄ          切替スイッチ
２３ｅ          電源スイッチ
２４            シート切断装置
２４ａ          押さえ部
２５            係止ねじ
２５ａ          左右動シリンダ
２５ｂ          縦支持部材
２５ｃ          左右動軸
２５ｄ          上下動シリンダ
２５ｅ          シリンダ連結バー
２５ｆ          目盛り
２５ｇ          縦支持部材
２５ｈ          左右シリンダ連動部材
２６            係止ねじ
２６ａ          左右動シリンダ
２６ｂ          縦支持部材
２６ｃ          左右動軸
２６ｄ          上下動シリンダ
２６ｅ          シリンダ連結バー
２６ｆ          目盛り
２６ｇ          縦支持部材
２７            切断部
２７ａ          カットドレスシリンダ
２７ｂ          支持部材
２７ｃ          ロールカッター
２７ｄ          切断部スクロールバー
２７ｅ          切断部カバー
２８            切断部ガイド
２８ａ、２８ｂ  切断部連結バー
２８ｃ          切断刃ガイド
２９            スライド部
２９ａ          基板載置台
２９ｂ、２９ｃ  可動軸
２９ｄ          スケール
３０            基板シート
３１            切断部
３１ａ          支持部材
３１ｂ          刃保持部材
３１ｃ          軸
３１ｄ          刃
３２            スプリング
３３、３３ａ    調節ローラ
【図１】
2005040909.tif 000003
【図２】
2005040909.tif 000004
【図３】
2005040909.tif 000005
【図４】
2005040909.tif 000006
【図５】
2005040909.tif 000007
【図６】
2005040909.tif 000008
【図７】
2005040909.tif 000009
【図８】
2005040909.tif 000010
【図９】
2005040909.tif 000011
【図１０】
2005040909.tif 000012
【図１１】
2005040909.tif 000013
【図１２】
2005040909.tif 000014
【図１３】
2005040909.tif 000015